(57)【要約】【課題】小型で安価に構成できブレ補正による画像劣化も引き起こすことがなく、かつシャッタチャンスを逃さない撮像装置を提供すること。【解決手段】ユーザによる１ｓｔレリーズ操作の後、マイナスの最大待ち時間の間キャプチャ動作を行い、このキャプチャ動作によって取得された画像をブレ量データとともにバッファメモリ１９に記憶させる。２ｎｄレリーズ操作後、プラスの最大待ち時間の間キャプチャ動作を行い、このキャプチャ動作によって取得された画像をブレ量データとともにバッファメモリ１９に記憶させる。そして、ブレ量データの評価を行って、ブレ量の最も少ない画像を記録媒体２４に記録させる。【選択図】図２
2006303620.tif 000002
【特許請求の範囲】
【請求項１】
第１段階の押圧と第２段階の押圧の２段階の押圧操作がなされる操作手段と、
撮影光学系を通過した光を光電変換により画像信号に変換して画像を取得する撮像手段と、
上記画像を含むデータを記録する第１の記録手段と、
当該撮像装置のブレ量を検出するブレ検出手段と、
上記操作手段の第１段階の押圧により上記撮像手段に連続的に上記画像の取得を行わせ、上記操作手段の第２段階の押圧により、該第２段階の押圧が検知された時点の前後の所定時間分の連続画像と該連続画像における各画像の露光時間中に上記ブレ検出手段で検出されたブレ量のデータとを上記第１の記録手段に記録させるように制御する制御手段と、
を具備することを特徴とする撮像装置。
【請求項２】
当該撮像装置に着脱可能に構成され、上記第１の記録手段に記録されたデータを複製記録する第２の記録手段を更に具備することを特徴とする請求項１に記載の撮像装置。
【請求項３】
上記制御手段は、上記第１の記録手段に記録された連続画像における各画像の露光時間中に上記ブレ検出手段で検出されたブレ量のデータを評価する判定手段を有し、上記判定手段の評価の結果、最もブレ量の少ないブレ量のデータに対応する画像を選択して上記第１の記録手段から上記第２の記録手段に複製記録することを特徴とする請求項２に記載の撮像装置。
【請求項４】
上記制御手段は、上記第１の記録手段に記録された連続画像における各画像の露光時間中に上記ブレ検出手段で検出されたブレ量のデータを評価する判定手段を有し、上記判定手段の評価の結果、所定量以下のブレ量であると判定されたブレ量のデータに対応する画像を選択して上記第１の記録手段から上記第２の記録手段に複製記録することを特徴とする請求項２に記載の撮像装置。
【請求項５】
上記制御手段は、上記第１の記録手段に記録された連続画像における各画像の露光時間中に上記ブレ検出手段で検出されたブレ量のデータを評価する判定手段を有し、上記判定手段の評価の結果、所定量以下のブレ量の画像の中で最もブレ量の少ないブレ量のデータに対応する画像を選択して上記第１の記録手段から上記第２の記録手段に複製記録することを特徴とする請求項２に記載の撮像装置。
【請求項６】
上記制御手段は、被写体輝度から露光量を算出し、この算出した露光量に基づいて上記所定時間を設定することを特徴とする請求項１に記載の撮像装置。
【発明の詳細な説明】
【技術分野】
【０００１】
本発明は、デジタルカメラなどの撮像装置に関する。
【背景技術】
【０００２】
カメラなどの撮像装置においては、露光時における撮像装置のブレを検出し、そのブレを打ち消すように撮像素子を移動させたり、撮像光学系の一部若しくは全体を移動させたりして露光中のブレを補正（若しくは軽減）する撮像装置が提案され、製品化もされている。このような撮像装置では、ブレを補正するために、撮像素子や撮影光学系を移動させるための機構が必要となり、その分、部品コストが高くなる。また、撮像素子や撮影光学系を移動させるための機構の分のスペースが撮像装置内に必要となるので、小型化が困難であると考えられる。更に、撮影光学系を移動させることによる諸収差の変動や、合焦被写体以外のデフォーカス部のボケが不自然になるなどのため、画像が劣化してしまうおそれもある。
【０００３】
そこで、特許文献１では、ブレを検出するブレ検出手段を備え、このブレ検出手段によって検出されたブレが所定量よりも少なくなったタイミングで露光を開始することにより、ブレを軽減した画像が得られるカメラが提案されている。
【特許文献１】特開平５−１９３２７号公報
【発明の開示】
【発明が解決しようとする課題】
【０００４】
上記特許文献１の手法では、ブレが少なくなるタイミングがレリーズ後すぐに訪れない場合には、露光開始までの遅延時間が長くなる。このため、シャッタチャンスを逃してしまうおそれがある。
【０００５】
本発明は、上記の事情に鑑みてなされたもので、小型で安価に構成できブレ補正による画像劣化も引き起こすことがなく、かつシャッタチャンスを逃さない撮像装置を提供することを目的とする。
【課題を解決するための手段】
【０００６】
上記の目的を達成するために、本発明の第１の態様による撮像装置は、第１段階の押圧と第２段階の押圧の２段階の押圧操作がなされる操作手段と、撮影光学系を通過した光を光電変換により画像信号に変換して画像を取得する撮像手段と、上記画像を含むデータを記録する第１の記録手段と、当該撮像装置のブレ量を検出するブレ検出手段と、上記操作手段の第１段階の押圧により上記撮像手段に連続的に上記画像の取得を行わせ、上記操作手段の第２段階の押圧により、該第２段階の押圧が検知された時点の前後の所定時間分の連続画像と該連続画像における各画像の露光時間中に上記ブレ検出手段で検出されたブレ量のデータとを上記第１の記録手段に記録させるように制御する制御手段とを具備することを特徴とする。
【０００７】
この第１の態様によれば、操作手段の２段階目の押圧のタイミングの前後の連続画像と、それぞれの画像の露光時間中のブレ量のデータとを第１の記録手段に記録しておくことにより、ブレの少ない画像を記録することができる。
【発明の効果】
【０００８】
本発明によれば、小型で安価に構成できブレ補正による画像劣化も引き起こすことがなく、かつシャッタチャンスを逃さない撮像装置を提供することができる。
【発明を実施するための最良の形態】
【０００９】
以下、図面を参照して本発明の実施形態を説明する。  
［第１の実施形態］
図１は、本発明の第１の実施形態に係る撮像装置の一例としてのデジタルカメラの内部の電気回路系の構成を示すブロック図である。ここで、図１のデジタルカメラは、コンパクトタイプのデジタルカメラを想定して図示しているが、本発明の第１の実施形態の技術は、一眼レフレックスタイプのデジタルカメラにも適用することができる。
【００１０】
図１において、レンズ１１は図示しない被写体の光束を後方のＣＣＤ１５の光電変換面に結像させる撮影光学系である。このレンズ１１は、モータなどからなるＡＦ機構１３によって駆動される。絞り１２及びシャッタ１４は、レンズ１１とＣＣＤ１５との間に配置されている。絞り１２は、ＣＣＤ１５への光束の入射量を調節する。シャッタ１４は、ＣＣＤ１５の光電変換面を遮光する。ここで、図１において絞り１２とシャッタ１４を１つの機構によって構成するようにしても良い。
【００１１】
ＣＣＤ１５は、光電変換面に入射した光束を電気信号（画像信号）に変換する。撮像回路１６は、ＣＣＤ１５で得られた画像信号を所定タイミング毎に読み出して種々のアナログ処理を行う。このアナログ処理としては、ノイズ除去のためのＣＤＳ（相関２重サンプリング処理）やゲイン調整処理などがある。アナログ／デジタル（Ａ／Ｄ）変換回路１７は、撮像回路１６でアナログ処理された画像信号をデジタル信号に変換する。ここで、ＣＣＤ１５、撮像回路１６、Ａ／Ｄ変換回路１７で撮像手段を構成している。なお、この撮像手段は、３０ｆｐｓ〜６０ｆｐｓ程度のフレームレートで連続的に静止画像を取得することもできる。
【００１２】
画像処理部１８は、Ａ／Ｄ変換回路１７で得られたデジタル画像信号を画像処理する。
【００１３】
この画像処理としては、例えば画像の白バランスを補正するホワイトバランス補正処理、ＲＧＢのデジタル画像信号からＹ（輝度）信号とＣ（色）信号とを生成するＹＣ生成処理、画像の階調補正を行う階調補正処理などがある。
【００１４】
第１の記録手段としてのバッファメモリ１９は、画像処理部１８で処理されたデジタル画像信号を一時的に記憶する。液晶制御部２０は、バッファメモリ１９に記憶されたデジタル画像信号を読み出し、読み出したデジタル画像信号に基づいてＬＣＤ２１に画像表示を行う。圧縮伸長部２２は、バッファメモリ１９に記憶されたデジタル画像信号を読み出してＪＰＥＧ方式などの種々の方式で圧縮し、この圧縮画像をインターフェイス（Ｉ／Ｆ）２３を介して第２の記録手段としての記録媒体２４に複製記録させる。記録媒体２４としては、例えば図１のデジタルカメラに対して着脱自在に構成されたカード型メモリやハードディスクなどが挙げられる。
【００１５】
ファインダ画像生成部２５は、ＣＣＤ１５で上記フレームレートで連続的に撮像されて得られたデジタル画像信号に対してファインダ表示用の画像を生成するための画像処理を行う。この画像処理としては、例えば画像の白バランスを補正するホワイトバランス補正処理や画像サイズを表示部の表示サイズに合わせるリサイズ処理などがある。液晶制御部２６は、ファインダ画像生成部２５で生成されたファインダ画像に基づいて電子ビューファインダ（ＥＶＦ）２７にファインダ画像表示を行う。なお、ファインダ画像は、ＬＣＤ２１に表示させることもできる。  
ストロボ制御回路２８は、ストロボ部２９の発光制御を行う。
【００１６】
制御手段としてのシステムコントローラ３０は、絞り１２、ＡＦ機構１３、及びシャッタ１４の動作制御、撮像回路１６の信号読み出しのタイミング制御、Ａ／Ｄ変換回路１７におけるゲイン量の指示、画像処理部１８の制御、バッファメモリ１９の書き込み／読み出しアドレスの指示、ストロボ制御回路２８の動作制御などのデジタルカメラの各回路の制御を行う。また、システムコントローラ３０は、ファインダ画像生成部２５で生成されたファインダ画像に基づいて測光演算やコントラストＡＦのための演算を行う。ここで、コントラストＡＦは、ファインダ画像生成部２５で生成されたファインダ画像のコントラストが最も高くなるようにレンズ１１を駆動するＡＦの手法である。
【００１７】
操作部３１は、ユーザがデジタルカメラに対して各種動作指示を与えるための操作部材群である。操作部３１としては、レリーズボタン３１ａ、モードダイヤル３１ｂ、十字キー３１ｃ、確定キー３１ｄなどがある。操作手段としてのレリーズボタン３１ａは、ユーザによる第１段階の押圧（１ｓｔレリーズ操作）と第２段階の押圧（２ｎｄレリーズ操作）の２段階の押圧操作が可能に構成されている。システムコントローラ３０は、レリーズボタン３１ａの第１段階の押圧を受けて、測光処理や、ＡＦ処理、ブレ検出処理、マイナスの最大待ち時間内でのキャプチャ処理などの撮影前処理を実行する。ここで、マイナスの最大待ち時間内でのキャプチャ処理については後述する。また、システムコントローラ３０は、レリーズボタン３１ａの第２段階の押圧を受けて露光処理を実行する。モードダイヤル３１ｂは、デジタルカメラの動作モードを変更するための操作部である。十字キー３１ｃは、ＬＣＤ２１に表示されるメニュー画面上での各種メニュー項目の選択操作を行うための操作部である。また、確定キー３１ｄは、メニュー画面上での各種メニュー項目の確定操作を行うための操作部である。
【００１８】
ブレ検出回路３２は、Ｘ軸ブレセンサ３３及びＹ軸ブレセンサ３４において検出されたブレ信号を処理する。Ｘ軸ブレセンサ３３は、デジタルカメラの水平方向のブレ量を検出する。Ｙ軸ブレセンサ３４は、デジタルカメラの垂直方向のブレ量を検出する。これらブレセンサには、例えば角速度センサなどが用いられる。ここで、ブレ検出回路３２、Ｘ軸ブレセンサ３３、Ｙ軸ブレセンサ３４でブレ検出手段を構成している。
【００１９】
図２は、第１の実施形態におけるデジタルカメラの撮影時の動作について示すフローチャートである。この図１のフローチャートは、システムコントローラ３０によって制御される。
【００２０】
ユーザによって１ｓｔレリーズ操作がなされると、図２のフローチャートの処理が開始する。まず、シャッタ１４が開放され、ファインダ画像生成部２５で得られたファインダ画像に基づいて測光処理が行われる（ステップＳ１）。この測光処理によって露光量が演算され、この露光量に基づいて露光時における絞り１２の絞り量やシャッタ１４のシャッタ秒時（シャッタ速度）が決定される。次に、ＡＦ機構１３を介してコントラストＡＦのためのレンズ１１の駆動が開始される（ステップＳ２）。レンズ駆動開始後、レンズ１１が合焦位置に到達したか否か、即ちファインダ画像生成部の画像のコントラストが最も高くなったか否かが判定される（ステップＳ３）。ステップＳ３の判定において、コントラストが最も高くなるまで、ステップＳ２のレンズ１１の駆動が継続される。
【００２１】
一方、ステップＳ３の判定において、レンズ１１が合焦位置に到達した場合には、ステップＳ３をステップＳ４に分岐して、ブレ検出回路３２によってブレ検出が開始され（ステップＳ４）、同時にキャプチャ動作が行われる（ステップＳ５）。ステップＳ５のキャプチャ動作においては、２ｎｄレリーズ操作前の所定時間としてのマイナスの最大待ち時間の間、上記フレームレートで連続的にＣＣＤ１５による画像取得動作が行われ、これにより得られた一連の画像（以下、キャプチャ画像と称する）と各キャプチャ画像の取得時におけるブレ量データとがバッファメモリ１９に記憶される。なお、ステップＳ５のマイナスの最大待ち時間については後述する。
【００２２】
ここで、キャプチャ動作中において、１コマの画像の撮像を行うたびに、その撮像結果に基づいて測光処理を行って絞り１２の絞り量を調節したり、ＡＦ処理を行ってレンズ１１の焦点位置調節を行ったりしても良い。
【００２３】
１コマ分のキャプチャ動作の終了後、ユーザによって２ｎｄレリーズ操作がなされたか否かが判定される（ステップＳ６）。このステップＳ６の判定は、ユーザによって２ｎｄレリーズ操作がなされるまで行われ、この間、ステップＳ５のキャプチャ動作が継続される。ここで、バッファメモリ１９には常にマイナスの最大待ち時間分のキャプチャ画像が記憶されるようにする。つまり、バッファメモリ１９には、ステップＳ５のマイナスの最大待ち時間に応じた一定コマ数分の画像が常に記憶され、新たに画像が取得された場合には、古いものから順に上書きされる。
【００２４】
一方、ステップＳ６の判定において、ユーザによって２ｎｄレリーズ操作がなされた場合には、ステップＳ６をステップＳ７に分岐して、露光処理が開始されＣＣＤ１５を介して得られたキャプチャ画像がバッファメモリ１９に記憶される（ステップＳ７）。同時に、露光時のブレ量データもバッファメモリ１９に記憶される。次に、２ｎｄレリーズ操作後の所定時間としてのプラスの最大待ち時間が経過したか否かが判定される（ステップＳ８）。なお、ステップＳ８のプラスの最大待ち時間については後述する。ステップＳ８の判定において、プラスの最大待ち時間が経過していない場合には、ステップＳ７に戻り、次のコマに対するキャプチャ動作が行われる。
【００２５】
一方、ステップＳ８の判定において、プラスの最大待ち時間が経過した場合には、ステップＳ８をステップＳ９に分岐して、バッファメモリ１９に記憶された全画像のブレ量データの読み出しが行われる（ステップＳ９）。そして、これら読み出されたブレ量の評価が行われる（ステップＳ１０）。ここでは、説明を簡単にするために、最もブレ量が少ないブレ量データを抽出するような評価が行われるものとする。
【００２６】
ステップＳ１０の評価の後、抽出されたブレ量データに対応付けられた画像がバッファメモリ１９から抽出され（ステップＳ１１）、その画像が記録媒体２４に記録される（ステップＳ１２）。そして、図２のフローチャートの処理が終了され、図示しないデジタルカメラのメインフローチャートに復帰する。
【００２７】
ここで、ステップＳ１０のブレ量データの評価の変形例としては、例えば、ブレ量評価の際に２ｎｄレリーズ操作のタイミングに近い順に評価を行い、ブレ量が許容量以下の画像があった時点でその画像を記録媒体２４に記録させるようにしても良い。このようなアルゴリズムでは、２ｎｄレリーズ操作のタイミングに近く、かつブレの少ない画像を記録することができる。
【００２８】
次に、ステップＳ５とステップＳ８の最大待ち時間について説明する。この最大待ち時間は画像のブレが少なくなるタイミングを待つための時間である。この最大待ち時間の範囲内で取得された画像の中に        はブレ量の少ない画像が取得されている確率が高いと考えられる。
【００２９】
図３は、シャッタ秒時と最大待ち時間との関係について示す図である。ここで、図３には、焦点距離ｆ＝１２５ｍｍとｆ＝６０ｍｍの場合のシャッタ秒時と最大待ち時間との関係を示している。
【００３０】
図３に示すように、最大待ち時間は、レンズ１１の焦点距離ｆ毎にシャッタ秒時に応じて設定する。まず、所定時間待ってもブレが安定する見込みがないシャッタ秒時をｆ＝１２５ｍｍの場合には１／１５、ｆ＝６０ｍｍの場合には１／８とし、そのときの最大待ち時間を最大待ち時間の最大値に設定する。即ち、１／１５若しくは１／８よりも遅いシャッタ秒時の最大待ち時間は全て最大値に設定される。
【００３１】
また、１／（焦点距離ｆ）よりも速いシャッタ秒時のときの最大待ち時間を最大待ち時間の最小値に設定する。即ち、この場合には、シャッタスピードが速く、２ｎｄレリーズ操作の時点（図３の０ｍｓの時点）で画像のブレがほとんどないと考えることができる。
【００３２】
更に、これらの中間のシャッタ秒時では図３に示す最大値と最小値とを結ぶ線分の関係に従って最大待ち時間が設定される。
【００３３】
図３の破線は従来例を示す。従来例では２ｎｄレリーズ操作後のみで最大待ち時間分の時間を待つようにしている。このため、シャッタ秒時が遅い場合では最大で５００ｍｓ待つ必要が生じ、シャッタチャンスを逃すおそれがある。これに対し図３の実線は本発明の第１の実施形態の例を示す。図３に示すように、第１の実施形態では、２ｎｄレリーズ操作後のタイミング（図３のプラス側のタイミング）だけでなく、キャプチャ動作を利用することによって２ｎｄレリーズ操作前のタイミング（図３のマイナス側のタイミング）も待ち時間に利用できるようにしている。これにより、ブレの少ないタイミングを待つ時間を従来例と同じ時間としたまま、プラスの最大待ち時間を従来例の半分の時間とすることができ、レリーズタイムラグを短縮することができる。
【００３４】
ここで、第１の実施形態では、２ｎｄレリーズ操作前のマイナスの最大待ち時間のタイミングも待ち時間に含めているので、ステップＳ１０のブレ評価の結果、ユーザによる２ｎｄレリーズ操作前の前の画像が抽出される可能性もある。ここで、生理学的に人間の反射速度は２００ｍｓ〜２５０ｍｓ程度であることが知られている。即ち、この時間はちょうど、ユーザが露光の開始を意図してから実際に指が動いてレリーズボタン３１ａを押圧するまでの時間に相当する。ここで、第１の実施形態では、シャッタ秒時が遅い場合であっても、２ｎｄレリーズ操作の２５０ｍｓ前までの画像しかバッファメモリ１９に記憶されないため、殆どの場合、記録媒体２４に記録された画像が２ｎｄレリーズ操作前の画像であるとの認識は発生させないと考えられる。
【００３５】
以上説明したように、第１の実施形態によれば、２ｎｄレリーズ操作前後の所定時間のタイミングで連続的に撮影された画像の中から最もブレの少ない画像を記録するようにすることで、レリーズタイムラグを短縮しつつブレの少ない画像を記録媒体に記録することができる。
【００３６】
また、ブレの軽減のための補正機構などが必要ないので、部品コストを抑えることができ、また、補正機構のためのスペースも必要ない。更には、補正機構を用いないので、撮影光学系を移動させることによる諸収差の変動や、合焦被写体以外のデフォーカス部のボケが不自然になるなどの理由による画像の劣化のおそれもない。
【００３７】
ここで、図３の例においては、プラスの最大待ち時間及びマイナスの最大待ち時間ともにシャッタ秒時に応じて設定するような例になっているが、最大待ち時間をプラス、マイナスともに２５０ｍｓに固定してしまっても良いし、マイナスの最大待ち時間だけ２５０ｍｓに設定し、プラスの最大待ち時間をシャッタ秒時に応じて設定するようにしても良い。また、プラスの最大待ち時間は、シャッタ秒時の他に、マイナスの最大待ち時間内に取得されたブレ量データを考慮して設定するようにしても良い。
【００３８】
また、ステップＳ１０のブレ評価のアルゴリズムも上記したものに限られるものではない。例えば、ブレ量評価の際にユーザによる２ｎｄレリーズ操作のタイミングに近い順（プラス側、マイナス側）に評価を行い、許容量以下の画像があった時点でその画像を記録媒体２４に記録させるようにしても良い。このようなアルゴリズムでは、２ｎｄレリーズ操作のタイミングに近く、かつブレの少ない画像を記録することができる。
【００３９】
さらに、図２の処理を一眼レフレックスタイプのデジタルカメラで実行する場合には、ステップＳ５のマイナス側のキャプチャ動作に先立って、可動ミラーのアップ動作やシャッタの開動作、ＥＶＦ処理のオン動作などを行うようにすれば良い。
【００４０】
［第２の実施形態］
次に、本発明の第２の実施形態について説明する。本発明の第２の実施形態は、２ｎｄレリーズ後のキャプチャ画像の取得と並行してブレ量の評価を行うものである。なお、構成については第１の実施形態と同様のものが適用できる。
【００４１】
図４は、第２の実施形態におけるデジタルカメラの撮影時の動作について示すフローチャートである。ここで、図２と同様の動作については説明を省略する。
【００４２】
図４において、ステップＳ１〜ステップＳ８の処理は図２と同様である。ステップＳ８の判定において、プラスの最大待ち時間が経過していない場合には、ステップＳ８をステップＳ１３に分岐して、ステップＳ７のキャプチャ画像取得時のブレ量データが許容範囲内であるか否かが判定される（ステップＳ１３）。ステップＳ１３の判定において、ブレ量データが許容範囲内でない場合には、ステップＳ７に戻り、次のコマのキャプチャ動作が行われる。一方、ステップＳ１３の判定において、ブレ量データが許容範囲内である場合には、ステップＳ１３をステップＳ９に分岐する。以後の処理は、図２と同様である。
【００４３】
ここで、第２の実施形態の場合のブレ量評価の変形例としては、ステップＳ１３の判定においてプラスの最大待ち時間内でブレ量が許容量以下になった場合には、そのときに得られた画像を記録媒体２４に記録させるようにし、プラスの最大待ち時間内でブレ量が許容量以下にならなかったときのみ、マイナスの最大待ち時間内で取得したキャプチャ画像のブレ量を評価してブレ量が許容量以下の画像を抽出するようにしても良い。
【００４４】
また、ステップＳ１３の判定においてプラスの最大待ち時間内でブレ量が許容量以下になった場合には、その時に得られたキャプチャ画像とマイナスの最大待ち時間内で取得したキャプチャ画像とを比較してブレ量のより少ない画像を記録媒体２４に記録させるようにしても良い。この場合、比較対象となるマイナス側のキャプチャ画像は、２ｎｄレリーズ操作の時点からプラス側と同じ時間内で取得されたキャプチャ画像である。
【００４５】
以上説明したような第２の実施形態の手法でも、レリーズタイムラグを短縮しつつブレの少ない画像を記録媒体に記録することができる。
【００４６】
以上実施形態に基づいて本発明を説明したが、本発明は上記した実施形態に限定されるものではなく、本発明の要旨の範囲内で種々の変形や応用が可能なことは勿論である。
【００４７】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００４８】
【図１】本発明の第１の実施形態に係る撮像装置の一例としてのデジタルカメラの内部の電気回路系の構成を示すブロック図である。
【図２】第１の実施形態おけるデジタルカメラの撮影時の動作について示すフローチャートである。
【図３】シャッタ秒時と最大待ち時間との関係について示す図である。
【図４】第１の実施形態におけるデジタルカメラの撮影時の動作について示すフローチャートである。
【符号の説明】
【００４９】
１１…レンズ、１２…絞り、１３…ＡＦ機構、１４…シャッタ、１５…ＣＣＤ、１６…撮像回路、１７…アナログ／デジタル（Ａ／Ｄ）変換回路、１８…画像処理部、１９…バッファメモリ、２０，２６…液晶制御部、２１…ＬＣＤ、２２…圧縮伸長部、２３…インターフェイス（Ｉ／Ｆ）、２４…記録媒体、２５…ファインダ画像生成部、２７…電子ビューファインダ（ＥＶＦ）、２８…ストロボ制御回路、２９…ストロボ部、３０…システムコントローラ、３１…操作部、３１ａ…レリーズボタン、３１ｂ…モードダイヤル、３１ｃ…十字キー、３１ｄ…確定キー、３２…ブレ検出回路、３３…Ｘ軸ブレセンサ、３４…Ｙ軸ブレセンサ
【図１】
2006303620.tif 000003
【図２】
2006303620.tif 000004
【図３】
2006303620.tif 000005
【図４】
2006303620.tif 000006